(57)【要約】【課題】  コンテンツ供給部に存在する映像データを複数の表示再生部間で送受しながら表示し、かつ記憶装置に複製する操作を直感的に行なう。【解決手段】  コンテンツ表示再生システム１０は、操作制御部１７による直感的な操作によって、キャッチ操作時又はスロウ操作時に記憶部にコンテンツ供給部１２からのコンテンツを複製することができる。【選択図】  図１
2006352827.tif 000002
【特許請求の範囲】
【請求項１】
ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するコンテンツ表示再生システムにおいて、
上記操作制御部は、
ユーザによる操作入力を受け付ける入力操作受付部と、
上記入力操作受付部によって受け付けた操作入力に応じて上記コンテンツを上記各部間で送受するための操作制御信号を生成するコンテンツ送受信号生成部と、
上記コンテンツ送受信号生成部によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生部と、
上記コンテンツ送受信号生成部によって生成された上記第１の操作制御信号又は上記第２の操作制御信号に応じて上記コンテンツ供給部から受信したコンテンツを記憶する記憶部とを備え、
上記第１の操作制御信号又は上記第２の操作制御信号に応じて上記コンテンツ供給部から受信したコンテンツを上記操作制御部内表示再生部に表示再生させ、かつ上記記憶部に当該コンテンツを記憶させる
ことを特徴とするコンテンツ表示再生システム。
【請求項２】
上記操作制御部は、上記第１の操作制御信号又は上記第２の操作制御信号に応じて上記記憶部に記憶されたコンテンツを、上記ネットワークに接続された他のコンテンツ供給部に複製することを特徴とする請求項１記載のコンテンツ表示再生システム。
【請求項３】
上記操作制御部は、上記第１の操作制御信号又は上記第２の操作制御信号に応じて上記記憶部に記憶されたコンテンツを、上記ネットワークとは異なる他のネットワークに接続されたコンテンツ供給部に複製することを特徴とする請求項１記載のコンテンツ表示再生システム。
【請求項４】
上記操作制御部は、上記コンテンツ送受信号生成部によって生成された第３の操作制御信号に応じて、それまで上記操作制御部内表示再生部にて表示再生していた上記コンテンツ供給部からのコンテンツを上記表示再生部にコンテンツ配信させ、かつ上記コンテンツを上記記憶部に記憶することを特徴とする請求項１記載のコンテンツ表示再生システム。
【請求項５】
上記操作制御部は、上記第１の操作制御信号、上記第２の操作制御信号又は上記第３の操作制御信号に応じて上記コンテンツ供給部から受信したコンテンツを記憶部に記憶した後、上記コンテンツ送受信号生成部によって生成された第４の操作制御信号に応じて上記表示再生部にストリーミング配信することを特徴とする請求項１又は４記載のコンテンツ表示再生システム。
【請求項６】
ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するコンテンツ表示再生方法において、
上記操作制御部では、
ユーザによる操作入力を受け付ける入力操作受付工程と、
上記入力操作受付工程によって受け付けた操作入力に応じて上記コンテンツを上記各部間で送受するための操作制御信号を生成するコンテンツ送受信号生成工程と、
上記コンテンツ送受信号生成工程によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生工程と、
上記コンテンツ送受信号生成工程によって生成された上記第１の操作制御信号又は上記第２の操作制御信号に応じて上記コンテンツ供給部から受信したコンテンツを記憶部に記憶する記憶工程とを備え、
上記第１の操作制御信号又は上記第２の操作制御信号に応じて上記コンテンツ供給部から受信したコンテンツを上記操作制御部内表示再生工程に表示再生させ、かつ上記記憶工程により上記記憶部に当該コンテンツを記憶させる
ことを特徴とするコンテンツ表示再生方法。
【請求項７】
ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するためのコンテンツ表示再生プログラムを記録した記録媒体において、
上記コンテンツ表示再生プログラムは、
ユーザによる操作入力を受け付ける入力操作受付工程と、
上記入力操作受付工程によって受け付けた操作入力に応じて上記コンテンツを上記各部間で送受するための操作制御信号を生成するコンテンツ送受信号生成工程と、
上記コンテンツ送受信号生成工程によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生工程と、
上記コンテンツ送受信号生成工程によって生成された上記第１の操作制御信号又は上記第２の操作制御信号に応じて上記コンテンツ供給部から受信したコンテンツを記憶部に記憶する記憶工程とを備え、
上記第１の操作制御信号又は上記第２の操作制御信号に応じて上記コンテンツ供給部から受信したコンテンツを上記操作制御部内表示再生工程に表示再生させ、かつ上記記憶工程により上記記憶部に当該コンテンツを記憶させるプログラムであり、
このコンテンツ表示再生プログラムを記録している記録媒体。
【請求項８】
コンテンツ表示再生システムにあってネットワークに接続したコンテンツ供給部及び表示再生部の操作を制御し、各部間でコンテンツを送受する操作制御装置において、
ユーザによる操作入力を受け付ける入力操作受付部と、
上記入力操作受付部によって受け付けた操作入力に応じて上記コンテンツを上記各部間で送受するための操作制御信号を生成するコンテンツ送受信号生成部と、
上記コンテンツ送受信号生成部によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生部と、
上記コンテンツ送受信号生成部によって生成された上記第１の操作制御信号又は上記第２の操作制御信号に応じて上記コンテンツ供給部から受信したコンテンツを記憶する記憶部とを備え、
上記第１の操作制御信号又は上記第２の操作制御信号に応じて上記コンテンツ供給部から受信したコンテンツを上記操作制御部内表示再生部に表示再生させ、かつ上記記憶部に当該コンテンツを記憶させる
ことを特徴とする操作制御装置。
【請求項９】
ネットワークに接続した複数のコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部を有し、第１のコンテンツ供給部からストリーミング配信されたコンテンツを再生中に上記入力操作受付部においてアナログパッドを左右横方向又は上下縦方向の一方にスライドさせた操作が行われると、第１のコンテンツ供給部から上記ストリーミング配信されているコンテンツを他のコンテンツ供給部に複製させることを特徴とするコンテンツ表示再生システム。
【請求項１０】
ネットワークに接続した複数のコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部を有し、第１のコンテンツ供給部から送信されてきたコンテンツメタ情報に基づいて複数のコンテンツリストを表示しているとき、上記入力操作受付部によりコンテンツが選択され、さらにアナログパッドを左右横方向又は上下縦方向の一方にスライドさせた操作が行われると、第１のコンテンツ供給部から上記選択されたコンテンツを他のコンテンツ供給部に複製させることを特徴とするコンテンツ表示再生システム。
【請求項１１】
ネットワークに接続したコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部とコンテンツを記録している記憶部を有し、上記記憶部からコンテンツを再生中に上記入力操作受付部においてアナログパッドを左右横方向又は上下縦方向の一方にスライドさせた操作が行われると、上記再生中のコンテンツを上記コンテンツ供給部に複製させることを特徴とするコンテンツ表示再生システム。
【請求項１２】
ネットワークに接続したコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部とコンテンツを記録している記憶部を有し、上記記憶部に記録しているコンテンツリストを表示中に、上記入力操作受付部においてアナログパッドを左右横方向又は上下縦方向の一方にスライドさせた操作が行われると、上記入力操作受付部によってコンテンツリストから選択されたコンテンツを上記コンテンツ供給部に複製させることを特徴とするコンテンツ表示再生システム。
【請求項１３】
ネットワークに接続したコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部とコンテンツを記録するための記憶装置を有し、コンテンツ供給部からストリーミング配信されたコンテンツを再生中に上記入力操作受付部においてアナログパッドを左右横方向又は上下縦方向の一方にスライドさせた操作が行われると、コンテンツ供給部から上記ストリーミング配信されているコンテンツを上記記憶装置に複製することを特徴とするコンテンツ表示再生システム。
【請求項１４】
ネットワークに接続したコンテンツ供給部の操作を操作制御部により制御し、上記操作制御部を含めた各部間でコンテンツを送受するコンテンツ表示再生システムにおいて、
上記操作制御部はユーザによる操作入力を受け付ける入力操作受付部とコンテンツを記録するための記憶装置を有し、コンテンツ供給部から送信されてきたコンテンツメタ情報に基づいて複数のコンテンツリストを表示しているとき、上記入力操作受付部によりコンテンツが選択され、さらにアナログパッドを左右横方向又は上下縦方向の一方にスライドさせた操作が行われると、上記コンテンツ供給部から上記選択されたコンテンツを上記記憶装置に複製することを特徴とするコンテンツ表示再生システム。
【発明の詳細な説明】
【技術分野】
【０００１】
本発明は、有線又は無線ネットワークに接続したコンテンツ供給部及び表示再生部の操作を操作制御装置により制御し、上記操作制御装置を含めた各部間で映像情報を伝送し、表示再生部及び上記操作制御装置において映像を表示するコンテンツ表示再生システム及びコンテンツ表示再生方法に関する。また、上記コンテンツ表示再生方法に準じたコンテンツ表示再生プログラムを記録した記録媒体に関する。さらに、上記コンテンツ表示再生システムにあって、上記ネットワークを介してコンテンツ供給部及び表示再生部の操作を制御する操作制御装置に関する。
【背景技術】
【０００２】
今日、ＴＶ放送番組をビデオテープに録画するビデオレコーダの普及により、ＴＶ放送番組をその放送時間ではない、自分の都合のよい時間に視聴するといういわゆる「タイムシフト」という概念に基づく視聴スタイルが定着している。この視聴スタイルにより多くのＴＶ放送番組が録画され、時間を置いて視聴されている。さらに、近年、録画メディアがビデオテープからハードディスクに変わったことで、より多くの映像データを容量を気にせず手軽にハードディスク（記憶装置）に保存することができるようになった。以下では、特に断らない限り、このようなハードディスクを用いたビデオレコーダのことをデジタルビデオレコーダ（Digital Video Recorder：ＤＶＲ）と記す。
【０００３】
また、最近、ＡＶコンテンツサーバ（コンテンツ供給部）及び、ＣＲＴ、ＬＣＤ、プラズマディスプレイ等の表示再生装置を、家庭内、事業所内、地域内さらにグローバルな地域内に構成した有線又は無線ネットワークに接続した、コンテンツ表示再生システムが知られるようになった。このコンテンツ表示再生システムでは、上記デジタルビデオレコーダをＡＶコンテンツサーバとして上記ネットワークに少なくとも１台接続していれば、例えば録画したＴＶ放送番組を上記ネットワークを介し、上記ＡＶコンテンツサーバから離れた場所において視聴することが可能である。
【０００４】
ところで、従来、ＴＶ受像機において、画質の調整やタイマの設定などは、ＴＶ受像機の遠隔操作装置、操作制御装置、或いはリモートコマンダ（以下、リモコンと略称する。）のボタン操作等よって、ＴＶ受像機の表示画面に実行可能な処理を選択するためのメニューを表示する。そして、使用者は、ＴＶ受像機のリモコンを用いて、目的とする処理を選択し、表示画面に表示されるガイダンス表示などにしたがって、リモコンを操作することにより、画質の調整やタイマの設定などの目的とする処理を行うことができるようにされている。
【０００５】
また、ＳＴＢ(Set-Top box) やＩＲＤ(Integrated Reciver Decoder)などと呼ばれる衛星放送信号を受信する受信機などにおいては、ＥＰＧなどと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００６】
このように、ＴＶ受像機やＴＶ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【０００７】
しかし、前述のように、ＴＶ受像機やＳＴＢやＩＲＤに対して目的とする処理を行わせるために、メニューやガイダンスなどの必要な情報をＴＶ受像機などの表示画面に表示し、この表示情報を見ながらリモコンを操作する方式では、リモコンに対する操作が繁雑になる場合がある。
【０００８】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００９】
また、ＴＶ受像機などのモニタ装置も、ＬＣＤなどを用いることによって、小型化、軽量化が進み、持ち運びが可能で、使用者の手が届く位置で使用されるものも増えている。このような場合には、ＴＶ受像機のリモコンは不用であるし、また、ＴＶ受像機に映像信号や音声信号を供給する受信機などの外部入力装置のリモコンの存在が煩わしくなってしまう。
【００１０】
そこで、本件出願人は、表示装置を用いて、テレビ番組などの映像情報を観視したり、音声情報を聴取したりすることができるとともに、表示装置の表示素子に表示される操作用表示情報とタッチパネルなどの接触位置検出手段を通じて、ベース装置やベース装置に接続される外部入力装置を遠隔操作することができるようにして、煩わし操作を行うことなく、遠隔操作を行うことを可能にし、より使い勝手のよいホームネットワークを構築することが可能な双方向通信システムを先に提案している。このシステムによれば、表示装置の表示素子に表示される操作用表示情報とタッチパネルなどの接触位置検出手段を通じて、ベース装置やベース装置に接続される外部入力装置を遠隔操作することができ、所望の映像を簡単な選択して表示装置に表示することができるのである。
【００１１】
さらに、本件出願人は、下記特許文献１にて、このような双方向通信システムを利用して、複数の表示装置にベース装置から映像信号を供給するに当たり、ユーザが指で画面をなぞる操作により、映像機器間で映像の送受を行うことを可能にし、従来のリモコンのようなボタン操作とは異なり、感覚的に切替えを行うことができるようにしたコンテンツ表示再生システム及び映像表示制御装置を開示した。具体的には、可搬型表示装置のＬＣＤに設けたタッチパネル上でユーザが指を上方向にジェスチャ入力すると、可搬型表示装置に表示されていた映像Ａがそれまで映像Ｂを表示していた大型表示装置に表示されるスロウ機能が実行される。また、可搬型表示装置のＬＣＤに設けたタッチパネル上でユーザが指を下方向にジェスチャ入力すると、大型表示装置に表示されていた映像Ｂがそれまで映像Ａを表示していた可搬型表示装置に表示されるキャッチ機能が実行される。このように、下記特許文献１によって開示されたスロウ／キャッチ機能により、複数の表示装置間での直感的な画面の切り替えが可能となった。
【００１２】
【特許文献１】特開２００３−３３３３５９号公報
【発明の開示】
【発明が解決しようとする課題】
【００１３】
ところで、上述したような、上記デジタルビデオレコーダをＡＶコンテンツサーバとして上記ネットワークに少なくとも１台接続したコンテンツ表示再生システムにおいて、上記特許文献１で開示されたスロウ／キャッチ機能を用いれば、上記ＡＶコンテンツサーバに存在する映像データを上記可搬型表示装置や上記大型表示装置の間で送受することは想到できるが、上記ＡＶコンテンツサーバに存在する映像データを他の記憶装置や記憶メディアに複製する操作を伴った映像データの表示は別々の動作であり、直感的な操作が不可能であった。
【００１４】
本発明は、上記実情に鑑みてなされたものであり、コンテンツ供給部に存在する映像データを複数の表示再生部間で送受しながら表示し、かつ記憶装置に複製する操作を直感的に行なうことができるコンテンツ表示再生システム及びコンテンツ表示再生方法の提供を目的とする。
【００１５】
また、本発明は、コンテンツ供給部に存在する映像データを複数の表示再生部間で送受しながら表示し、かつ記憶装置に複製する操作を直感的に行なうことができるコンテンツ表示再生プログラムを記録した記録媒体の提供を目的とする。
【００１６】
また、本発明は、上記コンテンツ表示再生システムにあって、コンテンツ供給部に存在する映像データを複数の表示再生部間で送受しながら表示し、かつ記憶装置に複製する操作を直感的に行なうことができる操作制御装置の提供を目的とする。
【課題を解決するための手段】
【００１７】
本発明に係るコンテンツ表示再生システムは、上記課題を解決するために、ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するコンテンツ表示再生システムにおいて、上記操作制御部は、ユーザによる操作入力を受け付ける入力操作受付部と、上記入力操作受付部によって受け付けた操作入力に応じて上記コンテンツを上記各部間で送受するための操作制御信号を生成するコンテンツ送受信号生成部と、上記コンテンツ送受信号生成部によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生部と、上記コンテンツ送受信号生成部によって生成された上記第１の操作制御信号又は上記第２の操作制御信号に応じて上記コンテンツ供給部から受信したコンテンツを記憶する記憶部とを備え、上記第１の操作制御信号又は上記第２の操作制御信号に応じて上記コンテンツ供給部から受信したコンテンツを上記操作制御部内表示再生部に表示再生させ、かつ上記記憶部に当該コンテンツを記憶させる。
【００１８】
本発明によれば、第１の操作制御信号又は上記第２の操作制御信号に応じてコンテンツ供給部から受信したコンテンツを操作制御部内表示再生部に表示再生させるとき、同時に記憶部に当該コンテンツを記憶させる。
【００１９】
また、操作制御部は、コンテンツ送受信号生成部によって生成された第３の操作制御信号に応じて、それまで操作制御部内表示再生部にて表示再生していたコンテンツ供給部からのコンテンツを上記表示再生部にコンテンツ配信させ、かつコンテンツを記憶部に記憶させる。
【００２０】
このように、コンテンツを、操作制御部の制御に基づいて、表示再生部にスロウ／表示再生部からキャッチするときに、当該コンテンツを記憶部に記憶する。
【００２１】
また、操作制御部は、上記第１の操作制御信号、上記第２の操作制御信号又は上記第３の操作制御信号に応じて上記コンテンツ供給部から受信したコンテンツを記憶部に記憶した後、上記コンテンツ送受信号生成部によって生成された第４の操作制御信号に応じて上記表示再生部にストリーミング配信する。
【００２２】
本発明に係るコンテンツ表示再生方法は、上記課題を解決するために、ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するコンテンツ表示再生方法において、上記操作制御部は、ユーザによる操作入力を受け付ける入力操作受付工程と、上記入力操作受付工程によって受け付けた操作入力に応じて上記コンテンツを上記各部間で送受するための操作制御信号を生成するコンテンツ送受信号生成工程と、上記コンテンツ送受信号生成工程によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生工程と、上記コンテンツ送受信号生成工程によって生成された上記第１の操作制御信号又は上記第２の操作制御信号に応じて上記コンテンツ供給部から受信したコンテンツを記憶部に記憶する記憶工程とを備え、上記第１の操作制御信号又は上記第２の操作制御信号に応じて上記コンテンツ供給部から受信したコンテンツを上記操作制御部内表示再生工程に表示再生させ、かつ上記記憶部に当該コンテンツを記憶させる。
【００２３】
本発明によれば、第１の操作制御信号又は上記第２の操作制御信号に応じてコンテンツ供給部から受信したコンテンツを操作制御部内表示再生部に表示再生させるとき、同時に記憶部に当該コンテンツを記憶させる。
【００２４】
このように、コンテンツを、操作制御部の制御に基づいて、表示再生部にスロウ／表示再生部からキャッチするときに、当該コンテンツを記憶部に記憶する。
【００２５】
本発明に係るコンテンツ表示再生プログラムを記録した記録媒体は、上記課題を解決するために、ネットワークに接続したコンテンツ供給部及び表示再生部の操作を操作制御部により制御し、上記操作制御部を含めた各部間でコンテンツを送受し、上記表示再生部及び上記操作制御部においてコンテンツの映像を表示及び音声を再生するためのコンテンツ表示再生プログラムを記録した記録媒体において、上記コンテンツ表示再生プログラムは、ユーザによる操作入力を受け付ける入力操作受付工程と、上記入力操作受付工程によって受け付けた操作入力に応じて上記コンテンツを上記各部間で送受するための操作制御信号を生成するコンテンツ送受信号生成工程と、上記コンテンツ送受信号生成工程によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生工程と、上記コンテンツ送受信号生成工程によって生成された上記第１の操作制御信号又は上記第２の操作制御信号に応じて上記コンテンツ供給部から受信したコンテンツを記憶部に記憶する記憶工程とを備え、上記第１の操作制御信号又は上記第２の操作制御信号に応じて上記コンテンツ供給部から受信したコンテンツを上記操作制御部内表示再生工程に表示再生させ、かつ上記記憶部に当該コンテンツを記憶させるプログラムであり、このコンテンツ表示再生プログラムを記録している。
【００２６】
本発明に係る操作制御装置は、上記課題を解決するために、コンテンツ表示再生システムにあってネットワークに接続したコンテンツ供給部及び表示再生部の操作を制御し、各部間でコンテンツを送受する操作制御装置において、ユーザによる操作入力を受け付ける入力操作受付部と、上記入力操作受付部によって受け付けた操作入力に応じて上記コンテンツを上記各部間で送受するための操作制御信号を生成するコンテンツ送受信号生成部と、上記コンテンツ送受信号生成部によって生成された第１の操作制御信号に応じて上記コンテンツ供給部から受信したコンテンツを表示再生するか、又は上記コンテンツ送受信号生成部によって生成された第２の操作制御信号に応じて上記表示再生部から受け取ったコンテンツに関する情報に基づいて該当するコンテンツ供給部から受信したコンテンツを表示再生する操作制御部内表示再生部と、上記コンテンツ送受信号生成部によって生成された上記第１の操作制御信号又は上記第２の操作制御信号に応じて上記コンテンツ供給部から受信したコンテンツを記憶する記憶部とを備え、上記第１の操作制御信号又は上記第２の操作制御信号に応じて上記コンテンツ供給部から受信したコンテンツを上記操作制御部内表示再生部に表示再生させ、かつ上記記憶部に当該コンテンツを記憶させる。
【００２７】
本発明に係るコンテンツ表示再生システムは、上記課題を解決するために、ネットワークに接続した複数のコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部を有し、第１のコンテンツ供給部からストリーミング配信されたコンテンツを再生中に上記入力操作受付部においてアナログパッドを左右横方向又は上下縦方向の一方にスライドさせた操作が行われると、第１のコンテンツ供給部から上記ストリーミング配信されているコンテンツを他のコンテンツ供給部に複製させる。
【００２８】
本発明に係るコンテンツ表示再生システムは、上記課題を解決するために、ネットワークに接続した複数のコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部を有し、第１のコンテンツ供給部から送信されてきたコンテンツメタ情報に基づいて複数のコンテンツリストを表示しているとき、上記入力操作受付部によりコンテンツが選択され、さらにアナログパッドを左右横方向又は上下縦方向の一方にスライドさせた操作が行われると、第１のコンテンツ供給部から上記選択されたコンテンツを他のコンテンツ供給部に複製させる。
【００２９】
本発明に係るコンテンツ表示再生システムは、上記課題を解決するために、ネットワークに接続したコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部とコンテンツを記録している記憶部を有し、上記記憶部からコンテンツを再生中に上記入力操作受付部においてアナログパッドを左右横方向又は上下縦方向の一方にスライドさせた操作が行われると、上記再生中のコンテンツを上記コンテンツ供給部に複製させる。
【００３０】
本発明に係るコンテンツ表示再生システムは、上記課題を解決するために、ネットワークに接続したコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部とコンテンツを記録している記憶部を有し、上記記憶部に記録しているコンテンツリストを表示中に、上記入力操作受付部においてアナログパッドを左右横方向又は上下縦方向の一方にスライドさせた操作が行われると、上記入力操作受付部によってコンテンツリストから選択されたコンテンツを上記コンテンツ供給部に複製させる。
【００３１】
本発明に係るコンテンツ表示再生システムは、上記課題を解決するために、ネットワークに接続したコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部とコンテンツを記録するための記憶装置を有し、コンテンツ供給部からストリーミング配信されたコンテンツを再生中に上記入力操作受付部においてアナログパッドを左右横方向又は上下縦方向の一方にスライドさせた操作が行われると、コンテンツ供給部から上記ストリーミング配信されているコンテンツを上記記憶装置に複製する。
【００３２】
本発明に係るコンテンツ表示再生システムは、上記課題を解決するために、ネットワークに接続したコンテンツ供給部の操作を操作制御部により制御し、上記操作制御部を含めた各部間でコンテンツを送受するコンテンツ表示再生システムにおいて、上記操作制御部はユーザによる操作入力を受け付ける入力操作受付部とコンテンツを記録するための記憶装置を有し、コンテンツ供給部から送信されてきたコンテンツメタ情報に基づいて複数のコンテンツリストを表示しているとき、上記入力操作受付部によりコンテンツが選択され、さらにアナログパッドを左右横方向又は上下縦方向の一方にスライドさせた操作が行われると、上記コンテンツ供給部から上記選択されたコンテンツを上記記憶装置に複製する。
【発明の効果】
【００３３】
本発明に係るコンテンツ表示再生システム及びコンテンツ表示再生方法によれば、コンテンツ供給部に存在する映像データを複数の表示再生部間で送受しながら表示し、かつ記憶装置に複製する操作を直感的に行なうことができる。
【００３４】
本発明に係る記録媒体によれば、コンテンツ供給部に存在する映像データを複数の表示再生部間で送受しながら表示し、かつ記憶装置に複製する操作を直感的に行なうことができるコンテンツ表示再生プログラムを、広く提供することができる。
【００３５】
本発明に係る操作制御装置によれば、上記コンテンツ表示再生システムにあって、コンテンツ供給部に存在する映像データを複数の表示再生部間で送受しながら表示し、かつ記憶装置に複製する操作を直感的に行なうことができる。
【発明を実施するための最良の形態】
【００３６】
以下、本発明を実施するための最良の形態について図面を参照しながら説明する。
【００３７】
図１は本発明を適用したコンテンツ表示再生システムの構成図である。このコンテンツ表示再生システム１０は、無線ネットワークと有線ネットワークとを組み合わせたホームネットワーク１１に、デジタルビデオレコーダ等のＡＶコンテンツサーバを具体例とする２台のコンテンツ供給部１２及び１３と、ＣＲＴ、ＬＣＤ、ＰＤＰ等の表示素子を有して映像を表示すると共に映像に関連した音声を再生する３台の表示再生部１４、１５及び１６を接続している。この表示再生部は、映像を表示すると共に音声を再生するものであり、対象メディアを限定しない表示と再生の機能を有してなるので、レンダラ（renderer）と呼称されることもある。また、ホームネットワーク１１には、各コンテンツ供給部及び各表示再生部の操作を制御する操作制御部１７も接続している。
【００３８】
ホームネットワーク１１は、家庭内デジタルネットワークであり、ハブ１１ａを介し、例えばＩＥＥＥ１３９４に基づいた有線ケーブル１１ｂにより、上述したように２台のコンテンツ供給部１２及び１３と、３台の表示再生部１４、１５及び１６とを接続している。また、無線ＬＡＮのアクセスポイント１１ｃをハブ１１ｂに接続し、操作制御部１７を、例えばＩＥＥＥ８０２．１１方式のプロトコル、あるいは、その発展プロトコルなどの所定のプロトコルを用いて無線接続している。このため、操作制御部１７は、ホームネットワーク１１上の上記各コンテンツ供給部１２及び１３及び各表示再生部１４、１５及び１６と接続されており、それらの操作を制御することができる。
【００３９】
このコンテンツ表示再生システム１０は、ホームネットワーク１１に接続したコンテンツ供給部１２，１３及び表示再生部１４乃至１６の操作を操作制御部１７により制御し、操作制御部１７を含めた各部間でＡＶコンテンツを送受し、表示再生部１４乃至１６及び上記操作制御部１７においてＡＶコンテンツの映像を表示及び音声を再生するコンテンツ表示再生システムである。
【００４０】
特に、操作制御部１７は、ユーザによる操作入力を受け付ける入力操作受付部６０（図６）と、入力操作受付部６０によって受け付けた操作入力に応じてＡＶコンテンツを上記各部間で送受するための操作制御信号を生成するコンテンツ送受信号生成部（コントロール信号生成部６２）と、上記コンテンツ送受信号生成部（コントロール信号生成部６２）によって生成された第１の操作制御信号（コンテンツ配信要求信号）に応じて上記コンテンツ供給部１２又は１３から受信したＡＶコンテンツを表示再生するか、又は上記コンテンツ送受信号生成部（コントロール信号生成部６２）によって生成された第２の操作制御信号（キャッチ操作制御信号）に応じて上記表示再生部から受け取ったコンテンツに関する情報に基づいて該当するコンテンツ供給部から受信したコンテンツを表示再生する操作制御部内表示再生部（コンテンツ表示部６３）と、コンテンツ送受信号生成部（コントロール信号生成部６２）によって生成された上記第１の操作制御信号（コンテンツ配信要求信号）又は上記第２の操作制御信号（キャッチ操作制御信号）に応じて上記コンテンツ供給部から受信したコンテンツを記憶する記憶部６９（図６）とを備え、上記第１の操作制御信号（コンテンツ配信要求信号）又は上記第２の操作制御信号（キャッチ操作制御信号）に応じて上記コンテンツ供給部から受信したコンテンツを上記操作制御部内表示再生部（コンテンツ表示部６３）に表示再生させ、かつ上記記憶部６９に当該コンテンツを記憶させる。
【００４１】
操作制御部１７は、第１の操作制御信号（コンテンツ配信要求信号）又は上記第２の操作制御信号（キャッチ操作制御信号）に応じて上記記憶部６９に記憶されたコンテンツを、ホームネットワーク１１に接続された他のコンテンツ供給部に複製する。
【００４２】
また、操作制御部１７は、第１の操作制御信号（コンテンツ配信要求信号）又は上記第２の操作制御信号（キャッチ操作制御信号）に応じて上記記憶部６９に記憶されたコンテンツを、上記ネットワークとは異なる他のネットワークに接続されたコンテンツ供給部に複製する（図１６）。
【００４３】
また、操作制御部１７は、コンテンツ送受信号生成部（コントロール信号生成部６２）によって生成された第３の操作制御信号（スロウ操作制御信号）に応じて、それまで上記操作制御部内表示再生部６３にて表示再生していた上記コンテンツ供給部からのコンテンツを上記表示再生部にコンテンツ配信させ、かつ上記コンテンツを上記記憶部６９に記憶する。
【００４４】
また、操作制御部１７は、上記第１の操作制御信号（コンテンツ配信要求信号）、上記第２の操作制御信号（キャッチ操作制御信号）又は上記第３の操作制御信号（スロウ操作制御信号）に応じて上記コンテンツ供給部から受信したコンテンツを記憶部に記憶した後、上記コンテンツ送受信号生成部によって生成された第４の操作制御信号（ストリーミング配信制御信号）に応じて上記表示再生部にストリーミング配信する。
【００４５】
図２は、コンテンツ供給部１２の機能ブロック図である。コンテンツ供給部１３についても同様である。コンテンツ供給部１２は、上記デジタルビデオレコーダなどのＡＶコンテンツサーバである。コンテンツ供給部１２は、ネットワークＩ／Ｆ部２０と、コンテンツ配信処理部１２と、コンテンツ蓄積部２２からなる。
【００４６】
このコンテンツ表示再生システム１０にあって、コンテンツ供給部１２は、ＢＳデジタル、ＣＳデジタル、地上波アナログ、インターネットを通じて家庭内にて受信した映像及び音声コンテンツ（以下、コンテンツという）を、図２に示す、ハードディスク等の大容量蓄積媒体からなるコンテンツ蓄積部２２にストリーミングデータとして蓄積する。また、コンテンツ供給部１２は、コンテンツ蓄積部２２に蓄積した上記ストリーミングデータを、ネットワークＩ／Ｆ部２０を介して、操作制御部１７から送信された配信要求に応じてコンテンツ配信処理部２１により読み出して再生し、要求先の表示再生部又は操作制御部へネットワークＩ／Ｆ部２０を通してストリーミング配信することができる。
【００４７】
図３は、コンテンツ供給部１２のハードウェアの構成例を示す図である。ＣＰＵ２３は、ＲＯＭ（Read Only Memory）２４に記憶されているサーバプログラム、またはハードディスクドライブ２２からＲＡＭ（Random Access Memory）２５にロードされたサーバプログラムに従って、各種の処理を実行する。ＲＡＭ２５にはまた、ＣＰＵ２３が各種の処理を実行する上において必要なデータなども適宜記憶される。
【００４８】
ＣＰＵ２３、ＲＯＭ２４、およびＲＡＭ２５は、バス２６を介して相互に接続されている。このバス２６にはまた、入出力インターフェース２７も接続されている。
【００４９】
入出力インターフェース２７には、ボタン、スイッチ、キーボードあるいはマウスなどで構成される入力部２８、ＣＲＴ（Cathode Ray Tube）やＬＣＤ（Liquid Crystal Display）などのディスプレイ、並びにスピーカなどで構成される出力部２９、上記ネットワークＩ／Ｆ部２０として機能する、モデムやターミナルアダプタなどで構成される通信部２０、および上記コンテンツ蓄積部２２として機能するハードディスクドライブ２２が接続されている。
【００５０】
通信部２０は、ホームネットワーク１１を介して通信処理を行う。このコンテンツ表示再生システム１０にあって、コンテンツ供給部１２及び１３の通信部２０は、有線によりハブ１１ａを介して無線ＬＡＮ用アクセスポイント１１ｃに接続している。また、ハブ１１ａを介して有線１１ｂにより３台の表示再生部１４、１５及び１６に接続している。よって、コンテンツ供給部１２及び１３は、通信部２０を通してホームネットワーク１１内の無線通信路にて操作制御部１７と接続し、有線通信路１１ｂにて複数の表示再生部１４、１５及び１６に接続している。無線ＬＡＮ用アクセスポイント１１ｃと後述の操作制御部１７は、ＩＥＥＥ８０２．１１方式のプロトコル、あるいはその発展プロトコルなどの所定のプロトコルにしたがった無線通信が行なわれる。
【００５１】
ハードディスクドライブ２２には、サーバプログラムの他、ストリーミング配信するためのメディアデータなどが格納されている。
【００５２】
入出力インターフェース２７にはまた、必要に応じてドライブ３０が接続され、磁気ディスク３１、光ディスク３２、光磁気ディスク３３、あるいは半導体メモリ３４などが適宜装着され、そこから読み出されたコンピュータプログラム（サーバプログラムなど）が、必要に応じてハードディスクドライブ２２にインストールされる。
【００５３】
上記図２の機能ブロック図との関係でいえば、図３の各部は以下のようになる。通信部２０はネットワークＩ／Ｆ部２０として機能し、ＨＤＤ２２はコンテンツ蓄積部２２として機能する。また、ＣＰＵ２３、ＲＯＭ２４、ＲＡＭ２５、及びドライブ３０に接続された各メディア３１乃至３４等はコンテンツ配信処理部２１として機能する。
【００５４】
よって、このコンテンツ供給部１２の動作をハードウェアの構成に基づいて説明すると以下のようになる。コンテンツ供給部１２は、コンピュータであって、そのＣＰＵ２３がサーバプログラムに基づいて、ストリーミングデータの配信処理を実行する。例えば、コンテンツ供給部１２は、ＨＤＤ２２に様々なメディアデータを記憶させ、操作制御部１７からホームネットワーク１１を介して所定のメディアデータのストリーミング配信が要求された場合、対応するコンテンツデータを読み出し、ストリーミング配信を行うために所定のパケットを生成し、ホームネットワーク１１を介して配信する。
【００５５】
図４は、表示再生部１４、１５及び１６の機能ブロック図である。例えば表示再生部１４は、コンテンツ供給部１２又は１３からストリーミング配信されたストリーミングデータを受信し、再生してＬＣＤやＣＲＴに表示することのできるストリーミング再生機能を有すると共に、映像に関連した音声データを再生し、スピーカから出力する表示再生装置である。このため、表示再生部１４は、ホームネットワーク１１に接続するインターフェース機能部であるネットワークＩ／Ｆ部４０と、ネットワークＩ／Ｆ部４０を介してストリーミングデータ（コンテンツデータ）を受信するコンテンツ受信処理部４１と、コンテンツデータをデコードするコンテンツデコード部４２と、コンテンツデコード部４２でデコードされたコンテンツデータを再生するコンテンツ再生部４３と、再生されたコンテンツの映像を表示するコンテンツ表示部４４と、再生されたコンテンツの音声を出力するコンテンツ音声出力部４５からなる。
【００５６】
これらの機能部を以下のように用いて表示再生部１４は、ストリーミング再生機能部として動作する。ネットワークＩ／Ｆ部４０によりホームネットワーク１１に接続し、コンテンツ受信部４１によりネットワークＩ／Ｆ部４０を介してストリーミングデータ（コンテンツデータ）を受信し、コンテンツデコード部４２によりコンテンツデータをデコードし、コンテンツ再生部４３によりコンテンツデコード部４２でデコードされたコンテンツデータを再生し、コンテンツ表示部４４により再生されたコンテンツ映像を表示し、コンテンツ音声出力部４５により映像に関連した音声を出力する。
【００５７】
図５は、表示再生部１４、１５及び１６のハードウェアの構成例を示す図である。例えば、表示再生部１４は、通信部（Ｉ／Ｆ）４０と、受信処理部４１と、デコード部４２と、映像信号処理部４３−Ｖと、ＬＣＤ４４、音声信号増幅部４３−Ａと、スピーカ４５とを備えている。この表示再生部１４の各部は、ＣＰＵ４６を中心とする制御部によって制御するようにされている。制御部は、ＣＰＵ４６、ＲＯＭ４８、ＲＡＭ４９、ＥＥＰＲＯＭ５０がＣＰＵバス４７を通じて接続されて構成されたマイクロコンピュータである。また、ＣＰＵ４６は入力Ｉ／Ｆ５１を介してキー入力部５２と接続されており、ユーザによる例えば音量調整、画質調整、あるいは電源投入切断などの操作信号を受け付ける。
【００５８】
ＲＯＭ４８は表示再生部１４等において実行される各種の処理プログラムや処理に必要なデータなどを記録している。ＲＡＭ４９は、各種の処理において得られたデータを一時的に記憶保持するなどのように、主に各種の処理の作業領域として用いられるものである。
【００５９】
ＥＥＰＲＯＭ５０は、いわゆる不揮発性のメモリであり、電源が落とされても、記憶保持した情報が失われることがなく、例えば、各種の設定パラメータなどを記憶保持することができるものである。
【００６０】
通信部（Ｉ／Ｆ）４０は、ホームネットワーク１１を介して通信処理を行う。このコンテンツ表示再生システム１０にあって表示再生部１４の通信部４０は、有線１１ｂにてハブ１１ａを介して無線ＬＡＮ用アクセスポイント１１ｃに接続している。また、ハブ１１ａを介して有線１１ｂにてコンテンツ供給部１２及び１３に接続している。よって、表示再生部１４、１５及び１６は、通信部４０を通してホームネットワーク１１内の無線通信路にて操作制御部１７と接続し、有線通信路１１ｂにて複数のコンテンツ供給部１２及び１３に接続している。
【００６１】
受信処理部４１は、これに供給された信号を復調するなどの処理を行って、復調後の信号をデコード部（伸長処理部）４２に供給する。コンテンツ供給部１２及び１３は、地上波放送番組のテキストデータや映像データなどの表示用データや音声データ、あるいは、衛星放送番組の映像信号や音声信号などの情報信号をデータ圧縮して送信してくる。
【００６２】
このため、表示再生部１４のデコード部４２は、受信処理部４１からの復調されたデータ圧縮されている信号の供給を受けて、映像信号と音声信号とを分離し、分離した信号を伸長（圧縮解凍）することにより、データ圧縮前の元の信号を復元する。
【００６３】
そして、デコード部４２は、復元した映像信号と音声信号とをＤ／Ａ変換（デジタル／アナログ変換）し、アナログ映像信号と、アナログ音声信号とを形成する。そして、デコード部４２は、アナログ映像信号を映像信号処理部４３−Ｖに供給し、アナログ音声信号を、音声信号増幅部４３−Ａに供給する。
【００６４】
映像信号処理部４３−Ｖは、デコード部４２から供給される映像信号から、表示用信号を形成し、これをＬＣＤ４４に供給する。これにより、ＬＣＤ４４の表示画面には、コンテンツ供給部１２又は１３から送信されてきた映像信号に応じた映像が表示される。
【００６５】
一方、音声信号増幅部４３−Ａは、これに供給された音声信号を所定のレベルにまで増幅し、これをスピーカ４５に供給する。これにより、スピーカ４５からは、コンテンツ供給部１２又は１３から送信されてきた映像信号に関連する音声信号に応じた音声が放音される。
【００６６】
このように、表示再生部１４乃至１６は、コンテンツ供給部１２又は１３からホームネットワーク１１を介して送信されてくるテレビ放送番組などの映像信号や音声信号を受信して、その受信した映像信号や音声信号を再生して出力することにより、使用者に提供することができる。
【００６７】
図６は、操作制御部１７の機能ブロック図である。操作制御部１７は、ホームネットワーク１１に接続したコンテンツ供給部１２及び１３、表示再生部１４、１５及び１６の操作を制御するための遠隔操作装置（リモートコントローラ）である。また、この操作制御部は、ＬＣＤのような表示デバイスを持ち、コンテンツ供給部１２及び１３からのＡＶコンテンツのストリーミング配信を受けて再生することが可能である。つまり、ＡＶコンテンツのストリーミング再生機能と、なおかつホームネットワーク１１に接続されている複数のコンテンツ供給部１２及び１３、複数の表示再生部１４、１５及び１６の制御機能を併せ持つ。
【００６８】
具体的に、操作制御部１７は、操作制御部１７自体を含めた各部間で映像情報の送受（送受信又は伝送）を制御し、表示再生部１４乃至１６及び操作制御部１７自体における映像の表示と音声の再生を制御する。このため操作制御部１７は、ユーザによる操作入力を受け付ける入力操作受付部６０と、操作入力に応じて映像情報を各部間で送受するための操作信号を生成する映像情報送受信号生成機能を一機能とするコントロール信号生成部６２と、コントロール信号生成部６２によって生成された操作信号に応じてストリーミング再生した映像情報を表示する表示部６３とを備える。
【００６９】
また、操作制御部１７は、ホームネットワーク１１の無線ＬＡＮアクセスポイント１１ｃとの間でＩＥＥＥ８０２．１１方式のプロトコル、あるいはその発展プロトコルなどの所定のプロトコルにしたがった無線通信を行なうためのネットワークＩ／Ｆ部６４を有する。また、コンテンツ供給部１２及び１３が格納しているコンテンツに関する情報やコンテンツデータそのものを受信し、復調するなどの処理を行うコンテンツ受信処理部６５を有する。
【００７０】
また、コンテンツ受信処理部６５により受信されて復調されたコンテンツに関する情報からコンテンツのリストを生成するリスト生成部６６と、リスト生成部６６によって生成されたリストを表示するリスト表示部６７とを有する。また、コンテンツ受信処理部６５により受信され復調されたコンテンツデータをデコードして再生するコンテンツ再生部６８と、コンテンツ再生部６８によって再生されるコンテンツデータを記憶する記憶部６９とを備える。コンテンツ再生部６８によって再生されたコンテンツデータは上記表示部６３により映像表示される。
【００７１】
また、操作制御部１７は、入力操作受付部６０にて受け付けたユーザによる入力操作がどのような入力操作であるのかを判定する入力操作判定部６１をコントロール信号生成部６２との間に有する。
【００７２】
コントロール信号生成部６２は、ユーザが入力操作受付部６０の操作子などを押圧、回転或いは押し上げ、押し下げなどして行なったキー入力に対する入力操作判定部６１による判定結果に基づいて各種コントロール信号を生成する。生成されるコントロール信号の具体例としては、所望のコンテンツ供給部に格納されているコンテンツデータを、所望の表示再生部にストリーミング再生させるスロウ操作信号がある。また、ある表示再生部にて表示されているコンテンツデータを操作制御部１７の表示部６３に表示するキャッチ操作信号がある。さらに、キャッチ操作時に、コンテンツデータを記憶部６９に複製する複製操作信号がある。
【００７３】
このほか、コントロール信号生成部６２は、ユーザの入力操作に基づいて所望のコンテンツ供給部１２又は１３を選択するコンテンツ供給選択信号を生成する。また、所望のコンテンツを選択するためのコンテンツ選択信号を生成する。コンテンツ選択信号は、コンテンツ受信処理部６５で受信されたコンテンツに関する情報からリスト生成部６６が生成し、リスト表示部６７が表示したコンテンツリストを視認したユーザの操作に応じて生成される。また、コントロール信号生成部６２は、表示再生部１４、１５及び１６を選択するための表示再生部選択信号を生成する。この表示再生部選択信号は、表示再生部リスト表示部７０に表示された表示再生部リストを視認したユーザの操作に応じて生成される。
【００７４】
もちろん、コントロール信号生成部６２は、操作制御部１７自体の表示部６３にコンテンツを再生したり、停止したり、ポーズするための再生操作信号の他、表示を選択した表示再生部１４、１５及び１６におけるコンテンツの再生を開始、停止、ポーズするなどの操作信号も生成する。
【００７５】
図７は、操作制御部１７のハードウェアの構成例である。操作制御部１７は、ＣＰＵ７１をバス７２を介してネットワーク通信部６４、コーデック処理部７４、ＧＤＰ（Graphics Display Processor）７８、赤外線通信部７９に接続している。また、ＣＰＵ７１をＲＯＭ／ＲＡＭ７３、ＬＣＤ６３、記憶装置６９に接続している。また、ＣＰＵ７１には入力操作部６０である入力スイッチマトリックス部６０が接続されている。
【００７６】
ネットワーク通信部６４は、アンテナ８０を介し、無線ＬＡＮ用のアクセスポイント１１ｃと  上述したように、ＩＥＥＥ８０２．１１方式のプロトコル、あるいはその発展プロトコルなどの所定のプロトコルにしたがった無線通信を行なう。
【００７７】
ネットワーク通信部６４による無線通信により、操作制御部１７は入力操作部（入力スイッチマトリックス部）６０によるユーザ入力操作に応じてＣＰＵ７１がコントロール信号生成部６２として機能し、生成した上記各コントロール信号をホームネットワーク１１に接続されている複数のコンテンツ供給部１２、１３、或いは複数の表示再生部１４、１５及び１６にアクセスポイント１１ｃを通じて送信することができる。また、上記各部からの応答信号を受信することができる。
【００７８】
ＲＯＭ７３は、操作制御部１７において実行する、本発明のコンテンツ表示再生プログラムや、各種の処理プログラム、また処理に必要なデータを記録している。ＲＡＭ７３は、各種の処理において得られたデータを一時的に記憶保持するなどのように、主に各種の処理の作業領域として用いられる。
【００７９】
もちろん、操作制御部１７は、不揮発性のメモリであるＥＥＰＲＯＭを備えていてもよい。このＥＥＰＲＯＭを備えることにより、電源が落とされても、記憶保持した情報が失われることがなく、例えば、各種の設定パラメータ等を記憶保持することができる。
【００８０】
記憶部６９は、例えばキャッチ機能時に、コンテンツ供給部１２又は１３からストリーミング配信されたコンテンツデータを記憶するメモリである。半導体メモリでも、ＨＤＤでもよい。
【００８１】
コーデック処理部７４は、ネットワーク通信部６４を介してストリーミング配信され、ＣＰＵ７１の制御によって分離された映像データ、音声データをデコードする。デコードされた映像情報はＧＤＰ７８により映像信号処理が施され、ＬＣＤ６３に表示される。また、音声情報は、増幅器７５にて増幅された後、ステレオ２ｃｈ用スピーカ７６Ｌ、７６Ｒに送られ各スピーカ７６Ｌ、７６Ｒから放音される。
【００８２】
赤外線通信部７９は、直接に各電子機器などをリモートコントロールする操作信号に応じた赤外線信号を、コントロール対象の電子機器のコントロール信号受信部に送信する。
【００８３】
図８は、上記ハードウェア構成の操作制御部１７のＣＰＵ７１によって実行されるソフトウェアのブロック図である。遠隔操作信号を生成し、各コンテンツ供給部１２、１３や、表示再生部１４、１５及び１６を制御するためのリモートコマンドアプリケーション８１がある。また、映像、音楽、画像デコーダ部８２、リモート機器制御部８３、グラフィックスライブラリ８４、映像ストリーム処理部８５が、オペレーティングシステムＯＳ８６に基づいて実行される。さらに、ネットワークプロトコル処理部８７は、上記８０２．１１ｂの無線プロトコル８８を実行する。また、グラフィックプロセッサ８９は、ＧＤＰ７８により動作する。
【００８４】
次に、本コンテンツ表示再生システム１０における、操作制御部１７での第１の操作制御信号（コンテンツ配信要求信号）に応じたストリーミング再生表示、第３の操作制御信号（スロウ操作制御信号）に応じたスロウ操作による表示再生部での表示、第２の操作制御信号（キャッチ操作制御信号）に応じたキャッチ操作による操作制御部での表示を図９、図１０、図１１に示す。
【００８５】
まず、図９に示す操作制御部１７に搭載されている表示パネル上のＬＣＤ６３には、コンテンツ供給部１２に保管されているコンテンツの情報からコンテンツがリスト表示される（１７−１）。ユーザはカーソル移動ボタン９０を使って、リスト上に斜線で示すように示されるカーソル９１を希望するコンテンツ名に合せることでコンテンツを選択し、決定ボタン９２を押す。すると、操作制御部１７のコントロール信号生成部６２は第１の操作制御信号（コンテンツ配信要求信号）を生成し、選択したコンテンツＡをコンテンツ供給部１２からストリーミング配信させ、操作制御部１７でストリーミング再生してＬＣＤ６３上に表示する（１７−２）。このとき、過去に途中まで再生したという履歴情報があれば、途中から再生を始めることができる。
【００８６】
次に、図１０に示すように、この選択したコンテンツＡを表示再生部１４で再生させるように制御したい場合を考える。この操作制御部１７には、操作パネル上にジョイスティック操作子９３が具備されており、その操作がコンテンツの切り換え動作に割り付けられているものとする。操作制御部１７で選択したコンテンツを、表示再生部１４に切り換えて表示する際には、ジョイスティック操作子９３を上方向（上方向に向いた黒矢印のように）に移動させてスロウ操作を行なう（１７−３）。すると、操作制御部１７のコントロール信号生成部６２は第３の操作制御信号（スロウ操作制御信号）を生成する。このスロウ操作によってコンテンツＡは表示再生部１４によりストリーミング再生される。このとき操作制御部１７のＬＣＤ６３の表示は消える（１７−４）。なお、ここでは、コンテンツＡを操作制御部１７のＬＣＤ６３に表示している状態からスロウ操作を行ったが、コンテンツＡのアイコンを操作制御部１７にて選択してすぐにスロウ操作をすることもできる。
【００８７】
次に、図１１に示すように、この選択したコンテンツＡを再度操作制御部１７で再生させるように制御したい場合を考える。この操作制御部１７では、上述したようにジョイスティック操作子９３の操作はコンテンツの切り換え動作に割り付けられているものとする。操作制御部１７で選択したコンテンツＡを、表示再生部１４（１４−１）から操作制御部１７に切り換えて表示する際には、ジョイスティック操作子９３を下方向（下方向に向いた黒矢印のように）に移動させてキャッチ操作を行なう（１７−５）。すると、操作制御部１７のコントロール信号生成部６２は第２の操作制御信号（キャッチ操作制御信号）を生成する。このキャッチ操作によってコンテンツＡは表示再生部１４から操作制御部１７に切り換わり、操作制御部１７によりストリーミング再生される（１７−６）。このとき表示再生部１４のＬＣＤ上の表示は消える（１４−２）。
【００８８】
このコンテンツ表示再生システム１０は、操作制御部１７を用いたスロウ操作、キャッチ操作によりコンテンツ供給部に存在する映像データを表示再生部１４〜１６、あるいは操作制御部１７間でホームネットワーク１１を介して送受（例えば、スロウ、キャッチ）しながら表示し、さらに記憶装置６９に記憶、複製する操作を直感的に行なう。従来は、スロウ／キャッチ機能を用いれば、上記ＡＶコンテンツサーバに存在する映像データを上記可搬型表示装置や上記大型表示装置の間で送受することは想到できるが、上記ＡＶコンテンツサーバに存在する映像データを他の記憶装置や記憶メディアに複製する操作を伴った映像データの表示は別々の動作であり、直感的な操作が不可能であった。
【００８９】
図１２には、キャッチ操作＆コピー処理時のフローチャートを示す。このフローチャートは、操作制御部１７のＣＰＵ７１が行う処理手順である。上記図１に示したコンテンツ表示再生システムの環境で、操作制御部１７を用いて、コンテンツ供給部１２に蓄積されている映像データを表示再生部１４で表示しているとする。
【００９０】
この状態で、ステップＳ１で、操作制御部１７を用いてキャッチ操作を行う。そうすると、Ｓ２で現在表示再生しているコンテンツ（図１２には映像データと記すがこれは関連する音声データを含んでいる映像データであり、コンテンツと読み替えることとするのが分かりやすい。以下、映像データはコンテンツと読み替える。）とそのデータを格納しているコンテンツ供給部１２の情報が、操作制御部１７に指定されている表示再生部１４から無線ＬＡＮを介して得られる。その後、ステップＳ３に進み、キャッチ操作がコピー操作に割り当てられているかどうかが調べられる。キャッチ操作をコピー操作に割り当てる操作の設定は、図１５を用いて後述する。
【００９１】
ステップＳ３にてキャッチ操作がコピー操作に割り当てられていると操作制御部１７のＣＰＵ７１が判定した場合、ステップＳ４に進み、操作制御部１７はキャッチ処理を別タスクで開始し、その後、ステップＳ５に進む。
【００９２】
ステップＳ５では、操作制御部１７を用いて、映像表示を依頼した表示再生部（この場合は表示再生部１４）に、表示している映像データを管理するコンテンツ供給部（この場合は、コンテンツ供給部１２)と、どのコンテンツの映像データを表示しているかの情報を用い、コンテンツ供給部１２に、該当のコンテンツの映像データを、キャッチ操作を行った操作制御部１７に、コピーするように要求を出す。
【００９３】
ステップＳ６にて、コンテンツ供給部１２よりエラーを受け取った場合には、ステップＳ８に進み、その旨ユーザに報告して終了する。ステップＳ６にて、コンテンツ供給部１２からエラーを受け取らず、応答ACKを受け取った場合は、ステップＳ７にて、上記ステップＳ５の要求により、コンテンツ供給部１２より送られてきた映像データを、操作制御部１７の記憶装置６９に保存するコピー処理を起動し，終了する。
【００９４】
一方、ステップＳ３にてキャッチ操作がコピー操作に割り当てられていないと操作制御部１７のＣＰＵ７１が判定すると、ステップＳ９に進み、キャッチ操作時に特定のキー、例えば操作制御部１７のシフトキーが押されているかどうかを調べる。
【００９５】
ステップＳ９にて、特定のキーが押下されていると判定したときには、ステップＳ１０に進み、特定キーの押下時のキャッチ操作時に同時にコピー処理を行う設定になっているかを調べる。このステップＳ１０において、キャッチ処理と同時にコピー操作を行う設定になっていると判定した場合は、ステップＳ４に進み、キャッチ処理を別タスクで行う。
【００９６】
ステップＳ１０で、キャッチ処理と同時にコピー操作を行う設定になっていないと判定したときには、ステップＳ１１に進み、コピー操作だけを行う設定かどうかを調べる。
【００９７】
ステップＳ１１にてコピー処理だけを行う設定になっている場合は、上述したステップＳ５に進み、表示している映像データを管理するコンテンツ供給部（この場合は、コンテンツ供給部１２)と、どのコンテンツの映像データを表示しているかの情報を用い、コンテンツ供給部１２に、該当のコンテンツの映像データを、キャッチ操作を行った操作制御部１７に、コピーするように要求を出す。
【００９８】
ステップＳ１１にてコピー処理だけを行う設定になっていないときは、ステップＳ１２に進み、通常のキャッチ処理が行われる。このキャッチ処理については、図１３を参照して後述する。
【００９９】
このように、コンテンツ表示再生システム１０は、操作制御部１７による直感的な操作によって、キャッチ操作時に記憶部６９にコンテンツ供給部１２からのコンテンツを複製することができる。
【０１００】
図１３は、図１２におけるステップＳ１２のキャッチ処理の手順を示すフローチャートである。先ず、ステップＳ４１にて、上記図１２のステップＳ２で得られたコンテンツ供給部１２の情報とコンテンツ（図には単に映像データと記す）の情報を基に、コンテンツ供給部１２から操作制御部１７へ、コンテンツデータをストリーム転送するように要求を出す。その結果、ステップＳ４２にてエラーを受け取った場合には、ステップＳ４５にてでその旨表示し処理を終了する。
【０１０１】
ステップＳ４２にて、エラーを受け取らなかった場合（ACKを受け取った場合）、ステップＳ４３に進む。ステップＳ４３では、操作制御部１７がコンテンツ供給部１２からコンテンツを受け取り、それをデコードし、操作制御部１７が具備するディスプレイ（ＬＣＤ）６３に表示する。ステップＳ４４にて操作制御部１７のＣＰＵ７１によりデータが終了したと判定するまでこの処理を繰り返す。
【０１０２】
図１４は、図１２のステップＳ７にて行われるデータコピーイン処理のフローチャートである。ステップＳ６１にて、コンテンツ供給部１２より送られてくるデータを記憶装置６９に書き込む。次にステップＳ６２に進み、データが終了するまで、ステップＳ６１の処理が行われ、データが終了するとコピーイン処理が終了する。
【０１０３】
図１５は、上述したキャッチ操作、又は後述するスロウ操作にコピー操作を割り当てる際の操作制御部１７のユーザインターフェース（ＵＩ）例である。操作制御部１７の表示パネルのＬＣＤ６３に、操作の設定画面１１０が表示される。この設定画面１１０では、ラジオボタン１１１に「スロウ／キャッチ操作時にコピー操作も行う。」という操作設定が割り当てられる。また、ラジオボタン１１２に「特定キーの押下に伴うスロウ／キャッチ操作時にコピー操作を行う。」という操作設定が割り当てられる。また、ラジオボタン１１３に「特定キーの押下に伴うスロウ／キャッチ操作をコピー操作だけとする。」という操作設定が割り当てられる。また、ラジオボタン１１４に「スロウ／キャッチ操作をコピー操作に割り当てない。」という操作設定が割り当てられる。いずれかのラジオボタンがオンの場合は他のラジオボタンはオフとなる。オンとされたラジオボタンの操作に応じ、いずれか一つの設定が選択される。
【０１０４】
図１６は、第１のコンテンツ表示再生システム１０にて実行された、図１２のフローチャートによるキャッチ操作に伴ったコンテンツ供給部１２からのコピーコンテンツデータを、第２のコンテンツ表示再生システム１００にて、再利用する環境(たとえば、別の家など)のシステム構成を示す。
【０１０５】
第２のコンテンツ表示再生システム１００は、図１６に示すように、ホームネットワーク１０１に１台のコンテンツ供給部１０２と、表示再生部１０３とを有線接続している構成である。そこに、第１の表示再生システム１０にてコンテンツ供給部１２からコンテンツデータをキャッチ操作時にコピーし、記憶部６９に格納した操作制御部１７だけを、持ち運び、ホームネットワーク１０１を介して表示再生部１０３にスロウ操作し、さらにコンテンツ供給部１０２に該当のコンテンツデータをコピーする。また、操作制御部１７の記憶部に上記キャッチ操作、スロウ操作などと同時に記憶されたコンテンツデータは、第１のコンテンツ表示再生システム１０のコピー先のコンテンツ供給部１２ではない、他のコンテンツ供給部１３に複製してもよいのはもちろんである。
【０１０６】
また、操作制御部１７の記憶部に上記キャッチ操作、スロウ操作などと同時に記憶されたコンテンツデータは、コンテンツ表示再生システム１０、１００の表示再生部に、各ホームネットワーク１１を通してストリーミング配信されてもよい。
【０１０７】
図１７は、図１６に示した環境で、操作制御部１７を用いてスロウ操作を行った場合の処理の流れを示す。ステップＳ２１にて、操作制御部１７上で、記憶部６９内に保存されている映像データを再生している、もしくは、映像データのアイコンを選択している状態で、スロウ処理がなされたとする。ステップＳ２２に処理が進み、スロウ操作にコピー操作が割り当てられているかどうかをチェックする。これは、上記図１５に示した操作設定に基づいている。
【０１０８】
ステップＳ２２にて、スロウ操作がコピー操作に割り当てられていると判定したときには、ステップＳ２３にてスロウ処理を別タスクで開始し、ステップＳ２４に進む。ステップＳ２４では、コンテンツデータをコピー可能なコンテンツ供給部(図１５の場合、コンテンツ供給部１０２)を探す。
【０１０９】
ステップＳ２４にてコンテンツデータをコピー可能なコンテンツ供給部１０２が見つかった場合、ステップＳ２６に進み、コンテンツデータを記憶装置６９よりコンテンツ供給部１０２へコピーする処理（データコピーアウト処理）を起動し、処理を終了する。
【０１１０】
ステップＳ２５にてコンテンツ供給部が見つからなかった場合、ステップＳ２７にて、エラーを表示し、その旨ユーザに伝え、終了する。
【０１１１】
ステップＳ２２にて、スロウ操作がコピー操作に割り当てられていないと判定した場合は、ステップＳ２８に進み、例えばシフトキーのような特定のキーが押されているかを調べる。
【０１１２】
ステップＳ２８にて、特定のキーが押されていると判定した場合、ステップＳ２９に進み、スロウ処理と同時にコピー操作を行う設定かどうかを調べる。
【０１１３】
ステップＳ２９で、スロウ処理と同時にコピー操作を行う設定であると判定したときには、ステップＳ２３に進み、前述の処理であるスロウ処理を別タスクで行う。
【０１１４】
ステップＳ２９でスロウ処理と同時にコピー操作を行う設定でないと判定したときには、ステップＳ３０に進み、コピーだけが行われる設定かどうかを調べる。このステップＳ３０にて、コピーだけが行われる設定と判定した場合は、ステップＳ２４に進み、前述した処理であるコンテンツデータをコピー可能なコンテンツ供給部を探す。
【０１１５】
ステップＳ３０にて、コピーだけが行われる設定ではないと判定した場合、ステップＳ３１に進み、スロウ処理を別タスクで行う。
【０１１６】
これにより、図１６に示したような環境でも、操作制御部１７により、第２のコンテンツ表示再生システム１００において、スロウ操作時にコンテンツデータを所望のコンテンツ供給部１０２に複製することができる。
【０１１７】
図１８は、スロウ処理の流れを示すフローチャートである。ステップＳ５１で、図１７で指定されたコンテンツデータを、操作制御部１７で指定した表示再生部１０３へ、ストリーム転送する旨、要求を出す。その結果、ステップＳ５２でエラーを受け取った場合には、ステップＳ５５でその旨表示し処理を終了する。
【０１１８】
ステップＳ５２にてエラーを受け取らなかった場合(ACKを受け取った場合)は、ステップＳ５３に進む。ステップＳ５３で、表示再生部１０３に、コンテンツデータをストリーム転送する。ステップＳ５４で、該当コンテンツデータが終了するまでこの処理を繰り返す。
【０１１９】
図１９は、データコピーアウト処理のフローチャートである。ステップＳ７１で、該当コンテンツデータを記憶装置６９より取り出し、所望のコンテンツ供給部１０２にコピーする。次に、ステップＳ７２に進み、データが終了するまで、ステップＳ７１の処理を行い、データが終了するとコピーアウト処理が終了する。
【０１２０】
また、本発明のコンテンツ表示再生システムでは、図２０及び図２１を参照して以下に説明するように、コンテンツ供給部１２とコンテンツ供給部１３間でのコンテンツコピーを操作制御部１７におけるスロウ操作により実行してもよい。
【０１２１】
図２０は、ルータ機能を備えたハブ１１ａにコンテンツ供給部１２とコンテンツ供給部１３を有線接続し、アクセスポイント１１ｃを介して操作制御部１７を無線接続した構成である。ステップＳ４０１にてコンテンツ供給部１２から操作制御部１７へコンテンツ１がストリーミング配信され、操作制御部１７にてストリーミング再生されている。操作制御部１７にてコンテンツ１再生中にジョイスティック９３のようなアナログパッドをユーザが矢印Ｒのように右に向かって横方向にスライド操作し、コンテンツ供給部１３にコンテンツ１をスロウ操作する（ステップＳ４０２）。すると、そのスロウ操作によりコンテンツ供給部１２のコンテンツ蓄積部２２に蓄積されているオリジナルのコンテンツ１がコンテンツ供給部１３のコンテンツ蓄積部２２にコピーされる（ステップＳ４０３）。
【０１２２】
図２１は、図２０と同様にルータ機能を備えたハブ１１ａにコンテンツ供給部１２とコンテンツ供給部１３を有線接続し、アクセスポイント１１ｃを介して操作制御部１７を無線接続した構成である。ステップＳ４１１にてコンテンツ供給部１２から操作制御部１７へコンテンツメタ情報を送信する。ここでいうコンテンツメタ情報は、コンテンツのタイトル、コンテンツの在処、コンテンツの全体の時間、コンテンツのコーデック種類、コンテンツの解像度、コンテンツのサムネイルからなる。コンテンツのタイトルに対して、コンテンツの在処、コンテンツの全体の時間、コンテンツのコーデック種類、コンテンツの解像度、コンテンツのサムネイルを一つのセットにして複数存在させることもある。これは、同じ内容のコンテンツであっても、異なるコーデックや解像度のものが複数存在していることがあるからである。
【０１２３】
すると、操作制御部１７では上記コンテンツメタ情報を参照し、コンテンツ供給部毎のコンテンツリストを生成し、リスト表示部６７に表示する。コンテンツリストはテキストデータでもよいし、サムネイル画像でもよい。操作制御部１７のリスト表示部６７に上記コンテンツリストを表示中に、ユーザがコンテンツリストから例えばコンテンツ２のサムネイル１００を選択し、コンテンツ供給部１３へ上記アナログパッドを矢印Ｒのように右に向かって横方向にスライド操作してスロウ操作を行う（ステップＳ４１２）。すると、スロウ操作によりコンテンツ供給部１２のコンテンツ蓄積部２２に蓄積されているオリジナルのコンテンツ１がコンテンツ供給部１３のコンテンツ蓄積部２２にコピーされる（ステップＳ４１３）。
【０１２４】
また、本発明のコンテンツ表示再生システムでは、図２２及び図２３を参照して以下に説明するように、操作制御部１７からコンテンツ供給部１２へのコンテンツコピーをスロウ操作により実行してもよい。この場合、コンテンツは操作制御部１７からコンテンツ供給部１２にアップロードされることになる。
【０１２５】
図２２は、ルータ機能を備えたハブ１１ａにコンテンツ供給部１２を有線接続し、アクセスポイント１１ｃを介して操作制御部１７を無線接続した構成である。ステップＳ４２１にて、例えば記憶装置６９などのメモリーデバイス上に保存してあるコンテンツ３を再生中に、ユーザがジョイスティック９３のようなアナログパッドを矢印Ｒのように右に向かって横方向にスライド操作し、コンテンツ供給部１２にコンテンツ１をスロウ操作する。すると、そのスロウ操作により操作制御部１７の記憶装置６９に蓄積されているオリジナルのコンテンツ３がコンテンツ供給部１２のコンテンツ蓄積部２２にコピーされる（ステップＳ４２２）。
【０１２６】
図２３は、図２２と同様にルータ機能を備えたハブ１１ａにコンテンツ供給部１２を有線接続し、アクセスポイント１１ｃを介して操作制御部１７を無線接続した構成である。ステップＳ４３１にて、例えば記憶装置６９などのメモリーデバイス上のコンテンツリストを表示部６３のリスト表示部６７に表示中に、ユーザがコンテンツ４の例えばサムネイル１０１を選択してから、ジョイスティック９３のようなアナログパッドを矢印Ｒのように右に向かって横方向にスライドし、コンテンツ４をコンテンツ供給部１２へスロウ操作する。すると、そのスロウ操作により操作制御部１７の記憶装置６９に蓄積されているオリジナルのコンテンツ４がコンテンツ供給部１２のコンテンツ蓄積部２２にコピーされる（ステップＳ４３２）。
【０１２７】
また、本発明のコンテンツ表示システムでは、図２４及び図２５を参照して以下に説明するように、コンテンツ供給部１２から操作制御部１７へのコンテンツコピーをキャッチ操作により実行してもよい。この場合、コンテンツはコンテンツ供給部１２から操作制御部１７にダウンロードされることになる。
【０１２８】
図２４は、ルータ機能を備えたハブ１１ａにコンテンツ供給部１２を有線接続し、アクセスポイント１１ｃを介して操作制御部１７を無線接続した構成である。ステップＳ４４１にて、コンテンツ供給部１２から操作制御部１７へコンテンツ５がストリーミング配信され、操作制御部１７にてコンテンツ５をストリーミング再生している。操作制御部１７にてコンテンツ５再生中にジョイスティック９３のようなアナログパッドをユーザが矢印Ｌのように左に向かって横方向にスライド操作し、記憶装置６９のようなメモリーデバイスにコンテンツ５をキャッチ操作する（ステップＳ４４２）。すると、そのキャッチ操作によりコンテンツ供給部１２のコンテンツ蓄積部２２に蓄積されているオリジナルのコンテンツ５が操作制御部１７の上記メモリ-デバイスへコピーされる（ステップＳ４４３）。
【０１２９】
図２５は、図２４と同様にルータ機能を備えたハブ１１ａにコンテンツ供給部１２を有線接続し、アクセスポイント１１ｃを介して操作制御部１７を無線接続した構成である。ステップＳ４５１にてコンテンツ供給部１２から操作制御部１７へコンテンツメタ情報を送信する。すると、操作制御部１７では上記コンテンツメタ情報を参照し、コンテンツ供給部毎のコンテンツリストを生成し、表示部６３のリスト表示部６７に表示する。コンテンツリストはテキストデータでもよいし、サムネイル画像でもよい。操作制御部１７のリスト表示部６７に上記コンテンツリストを表示中に、ユーザがコンテンツリストから例えばコンテンツ６のサムネイル１０２を選択し、記憶装置６９へ上記アナログパッドを矢印Ｌのように左に向かって横方向にスライド操作し、記憶装置６９のようなメモリーデバイスにコンテンツ６をキャッチ操作する（ステップＳ４５２）。すると、そのキャッチ操作によりコンテンツ供給部１２のコンテンツ蓄積部２２に蓄積されているオリジナルのコンテンツ６が操作制御部１７の上記メモリーデバイスへコピーされる（ステップＳ４５３）。
【０１３０】
上記図２０から図２５までに示したスロウ操作によるコンテンツのコピー、キャッチ操作によるコンテンツのコピー操作について以下にまとめる。
【０１３１】
操作制御部１７の入力操作受付部６０に設けられているジョイスティック９３のようなアナログパッドを横方向スライドすることにより、コンテンツのコピーに割り当てることができる。
【０１３２】
上記アナログパッドを右方向にスライドするとスロウ操作になり、コンテンツのコピー先はコンテンツ供給部となる。ただし、コンテンツが他のコンテンツ供給部に蓄積されているならば、コンテンツ供給部間のコンテンツコピーである。また、コンテンツが操作制御部１７の上記記憶装置６９のようなメモリーデバイス上にあるならば、操作制御部１７からコンテンツ供給部へのアップロードとなる。
【０１３３】
また、上記アナログパッドを左方向にスライドするとキャッチ操作になり、コンテンツのコピー先は操作制御部の上記メモリーデバイスとなり、コンテンツはダウンロードされることになる。
【０１３４】
以上には、図２０乃至図２５を参照して、アナログパッドの横方向スライドをコピー専用とする処理を説明したが、アナログパッドの縦方向スライドを再生とコピーで共用することもできる。
【０１３５】
前述したように、アナログパッドを縦方向にスライドするとスロウ操作になる。ただし、図２に示した表示再生部を指定した場合は、操作制御部から表示再生部へコンテンツ再生処理を図１０で示したように移行させることになる。また、コンテンツ供給部を指定した場合はコピー操作となる。この場合、コンテンツがコンテンツ供給部上にあるならばコンテンツ供給装置間のコピー操作となる。また、コンテンツが操作制御部のメモリースティック上にあるならば操作制御部からコンテンツ供給部へのアップロードとなる。
【０１３６】
また、アナログパッドを下方向にスライドすると前述したようにキャッチ操作となる。ただし、指定先が操作制御部であれば図１１で説明したキャッチ操作であり、指定先が操作制御部のメモリーデバイスであればコンテンツ供給部から操作制御部へのコンテンツのダウンロードとなる。
【図面の簡単な説明】
【０１３７】
【図１】コンテンツ表示再生システムの構成図である。
【図２】コンテンツ供給部の機能ブロック図である。
【図３】コンテンツ供給部のハードウェア図である。
【図４】表示再生部の機能ブロック図である。
【図５】表示再生部のハードウェア図である。
【図６】操作制御部の機能ブロック図である。
【図７】操作制御部のハードウェア図である。
【図８】操作制御部のソフトウェア図である。
【図９】操作制御部における表示再生処理を説明する図である。
【図１０】操作制御部によるスロウ操作を説明する図である。
【図１１】操作制御部によるキャッチ操作を説明する図である。
【図１２】キャッチ＆コピー処理を示すフローチャートである。
【図１３】キャッチ処理を示すフローチャートである。
【図１４】データコピーイン処理を示すフローチャートである。
【図１５】ＵＩ上での操作設定を示す図である。
【図１６】コンテンツデータの再利用を説明する図である。
【図１７】スロウ＆コピー処理のフローチャートである。
【図１８】スロウ処理のフローチャートである。
【図１９】データコピーアウト処理を示すフローチャートである。
【図２０】コンテンツ供給部間のコンテンツコピーをスロウ操作で実行する処理を説明するための図である。
【図２１】コンテンツ供給部間のコンテンツコピーをスロウ操作で実行する処理を説明するための図である。
【図２２】操作制御部からコンテンツ供給部へのコンテンツコピーをスロウ操作で実行する処理を説明するための図である。
【図２３】操作制御部からコンテンツ供給部へのコンテンツコピーをスロウ操作で実行する処理を説明するための図である。
【図２４】コンテンツ供給部から操作制御部へのコンテンツコピーをキャッチ操作で実行する処理を説明するための図である。
【図２５】コンテンツ供給部から操作制御部へのコンテンツコピーをキャッチ操作で実行する処理を説明するための図である。
【符号の説明】
【０１３８】
１０  コンテンツ表示再生システム、１１  ホームネットワーク、１２，１３  コンテンツ供給部、１４，１５，１６  表示再生部、１７  操作制御部
【図１】
2006352827.tif 000003
【図２】
2006352827.tif 000004
【図３】
2006352827.tif 000005
【図４】
2006352827.tif 000006
【図５】
2006352827.tif 000007
【図６】
2006352827.tif 000008
【図７】
2006352827.tif 000009
【図８】
2006352827.tif 000010
【図９】
2006352827.tif 000011
【図１０】
2006352827.tif 000012
【図１１】
2006352827.tif 000013
【図１２】
2006352827.tif 000014
【図１３】
2006352827.tif 000015
【図１４】
2006352827.tif 000016
【図１５】
2006352827.tif 000017
【図１６】
2006352827.tif 000018
【図１７】
2006352827.tif 000019
【図１８】
2006352827.tif 000020
【図１９】
2006352827.tif 000021
【図２０】
2006352827.tif 000022
【図２１】
2006352827.tif 000023
【図２２】
2006352827.tif 000024
【図２３】
2006352827.tif 000025
【図２４】
2006352827.tif 000026
【図２５】
2006352827.tif 000027